(57)【要約】【課題】【解決手段】スプリットサイクル内燃エンジンが本明細書に開示される。スプリットサイクル内燃エンジンは、燃焼ピストンを収容する燃焼シリンダと、圧縮ピストンを収容する圧縮シリンダと、を備える。スプリットサイクル内燃エンジンはまた、燃焼シリンダおよび／またはこれに付随する流体に関連するパラメータの指示を受信し、指示されたパラメータがそのパラメータの目標値より小さいとき、指示されたパラメータに基づいて、燃焼ピストンのリターンストローク中、燃焼ピストンがその上死点位置（ＴＤＣ）に達する前に、排気弁を閉じさせ、指示されたパラメータがそのパラメータの目標値と等しいか、またはそのパラメータの目標値より大きいとき、燃焼ピストンがその上死点位置（ＴＤＣ）に達するときに、燃焼ピストンのリターンストロークが終了時に閉じさせるように燃焼シリンダの排気弁を制御するように構成される制御部を備える。【選択図】図１
2020514614.tif 000002
【特許請求の範囲】
【請求項１】
燃焼ピストンを収容する燃焼シリンダと、
圧縮ピストンを収容し、前記燃焼シリンダに圧縮流体を供給するように配置される圧縮シリンダと、
前記燃焼シリンダおよび／またはこれに付随する流体に関連するパラメータの指示を受信し、
前記指示されたパラメータが前記パラメータの目標値より小さいとき、前記燃焼ピストンのリターンストローク中に、前記燃焼ピストンがその上死点位置（ＴＤＣ）に達する前に、前記燃焼シリンダの排気弁を閉じさせ、
前記指示されたパラメータが前記パラメータの前記目標値と等しいか、または前記パラメータの前記目標値より大きいとき、前記燃焼ピストンがその前記上死点位置（ＴＤＣ）に達するときに、前記燃焼ピストンのリターンストロークの終了時に、前記燃焼シリンダの前記排気弁を閉じさせる、
ように、前記指示パラメータに基づいて、前記排気弁を制御するように構成される制御部と、
を備える、
ことを特徴とするスプリットサイクル内燃エンジン。
【請求項２】
前記パラメータの前記指示は、前記燃焼シリンダおよび／またはこれに付随する流体に関連する温度の指示であり、
前記パラメータの前記目標値は、目標温度である、
請求項１記載のスプリットサイクル内燃エンジン。
【請求項３】
前記目標温度は、燃焼のための目標温度である、
請求項２記載のスプリットサイクル内燃エンジン。
【請求項４】
前記制御部は、
前記目標温度と等しいか、または前記目標温度より高い指示された温度について通常駆動モードを規定し、前記目標温度より低い指示された温度について少なくとも１つのコールドスタートモードを規定するメモリ、
を備える、
請求項２または３記載のスプリットサイクル内燃エンジン。
【請求項５】
前記コールドスタートモードにおいて、
前記制御部は、前記燃焼ピストンが前記ＴＤＣ前にある初期閉位置で前記排気弁を閉じるように構成され、
最大初期閉位置は、前記ＴＤＣ前の位相角ｚ°にある前記燃焼ピストンにより与えられる、
請求項４記載のスプリットサイクル内燃エンジン。
【請求項６】
前記制御部は、前記指示された温度と前記目標温度との間の差に従って、前記最大初期閉位置と、前記燃焼ピストンが前記ＴＤＣにある通常モード閉位置と、の間で前記排気弁の前記初期閉位置を連続的に変更するように構成される、
請求項５記載のスプリットサイクル内燃エンジン。
【請求項７】
前記制御部は、前記指示された温度と前記目標温度との間の差に従って、前記ＴＤＣ前の位相角ｚ°から前記ＴＤＣまでの間の前記燃焼ピストンの位置について、前記排気弁に対して複数の別個の初期閉位置の１つを選択するように構成される、
請求項２乃至５のいずれかに記載のスプリットサイクル内燃エンジン。
【請求項８】
前記制御部は、ルックアップテーブルを用いて、別個の前記初期閉位置を選択するように構成される、
請求項７記載のスプリットサイクル内燃エンジン。
【請求項９】
前記ルックアップテーブルに従って、
第１初期閉位置は、前記ＴＤＣ前の位相角ｘ°にある前記燃焼ピストンに対応し、
第２初期閉位置は、前記ＴＤＣ前の位相角ｙ°にある前記燃焼ピストンに対応し、
第３初期閉位置は、前記ＴＤＣ前の位相角ｚ°にある前記燃焼ピストンに対応し、
前記第１初期閉位置は、前記目標温度よりｘ℃低い温度までの指示された温度についてマッピングされ、
前記第２初期閉位置は、前記目標温度よりｙ℃からｘ℃まで低い指示された温度についてマッピングされ、
前記第３初期閉位置は、前記目標温度よりｚ℃からｙ℃まで低い指示された温度についてマッピングされる、
請求項８記載のスプリットサイクル内燃エンジン。
【請求項１０】
前記制御部は、前記スプリットサイクル内燃エンジンまたはその中の流体に関連する圧力の指示を受信し、前記指示された圧力に基づいて、前記排気弁を制御するように構成される、
請求項２乃至９のいずれかに記載のスプリットサイクル内燃エンジン。
【請求項１１】
前記制御部は、前記スプリットサイクル内燃エンジンまたはその中の流体に関連する酸素濃度の指示を受信し、前記指示された酸素濃度に基づいて、前記排気弁を制御するように構成される、
請求項２乃至１０のいずれかに記載のスプリットサイクル内燃エンジン。
【請求項１２】
前記圧縮シリンダは、冷却プロセスを介して液相に圧縮された液体を受け入れるように配置され、その結果、前記圧縮ピストンの圧縮ストローク中に、前記液体が気相へと蒸発し、その結果、前記圧縮ストロークにより生じる温度上昇が、前記液体による熱吸収により制限される、
請求項２乃至１１のいずれかに記載のスプリットサイクル内燃エンジン。
【請求項１３】
前記液体は、
液体窒素と、液体アルゴンと、液体ネオンと、のうち少なくとも１つ、
を含む、
請求項１２記載のスプリットサイクル内燃エンジン。
【請求項１４】
前記制御部は、前記指示された温度に基づいて、前記圧縮シリンダに供給される前記液体の量を制御するように構成される、
請求項１２または１３記載のスプリットサイクル内燃エンジン。
【請求項１５】
前記制御部は、
前記目標温度より高い閾値温度を超える指示された温度について、ホットモードの操作を規定するメモリ、
を備え、
前記制御部は、前記ホットモードにおいて、
前記指示された温度に基づいて、前記圧縮シリンダに供給される前記液体の速度と量とのうち少なくとも１つを制御し、
場合により、前記指示された温度に基づいて、前記スプリットサイクル内燃エンジンのレキュペレータへの水の注入を制御する、
ように構成される、
請求項１２または１３記載のスプリットサイクル内燃エンジン。
【請求項１６】
前記制御部は、前記スプリットサイクル内燃エンジンまたはその中の流体に関連する圧力の指示を受信し、前記指示された圧力に基づいて、前記圧縮シリンダに供給される前記液体の量を制御するように構成される、
請求項１２乃至１５のいずれかに記載のスプリットサイクル内燃エンジン。
【請求項１７】
前記制御部は、前記スプリットサイクル内燃エンジンまたはその中の流体に関連する酸素濃度の指示を受信し、前記指示された酸素濃度に基づいて、前記圧縮シリンダに供給される前記液体の量を制御するように構成される、
請求項１２乃至１６のいずれかに記載のスプリットサイクル内燃エンジン。
【請求項１８】
前記燃焼シリンダに供給される前記圧縮流体を加熱するために、前記燃焼シリンダの排気生成物に前記圧縮流体を熱的に連結するように構成される前記レキュペレータ、
を備える、
請求項２乃至１７のいずれかに記載のスプリットサイクル内燃エンジン。
【請求項１９】
触媒被膜は、使用時に前記排気生成物と接触する前記レキュペレータの表面上に設けられる、
請求項１８記載のスプリットサイクル内燃エンジン。
【請求項２０】
前記触媒被膜は、前記触媒のライトオフを促進するために前記圧縮流体と前記排気生成物との両方により加熱されるために、使用時に前記圧縮流体および前記排気生成物と熱的に連通している状態であるように設けられる、
請求項１８または１９記載のスプリットサイクル内燃エンジン。
【請求項２１】
前記目標温度より高い閾値温度を超える指示された温度について、前記制御部は、前記レキュペレータへの水の注入を制御するように構成される、
請求項１８乃至２０のいずれかに記載のスプリットサイクル内燃エンジン。
【請求項２２】
前記燃焼シリンダに関連する前記温度の前記指示は、前記圧縮シリンダの出口での温度と、前記燃焼シリンダの入口での温度と、前記燃焼シリンダの出口での温度と、前記レキュペレータでの温度と、のうち少なくとも１つを検知するように配置されるセンサにより与えられる、
請求項１８乃至２１のいずれかに記載のスプリットサイクル内燃エンジン。
【請求項２３】
前記燃焼シリンダの前記温度の前記指示は、前記触媒の位置での温度を検知するように配置されるセンサにより与えられる、
請求項１９記載のスプリットサイクル内燃エンジン。
【請求項２４】
前記燃焼シリンダの入口弁は、前記圧縮流体が前記燃焼シリンダに入ることを可能にするために、前記燃焼シリンダの内側に向けて開放するように配置される、
請求項１乃至２３のいずれかに記載のスプリットサイクル内燃エンジン。
【請求項２５】
前記燃焼シリンダの入口弁は、前記圧縮流体が前記燃焼シリンダに入ることを可能にするために、前記燃焼シリンダから外側に向けて開放するように配置される、
請求項１乃至２４のいずれかに記載のスプリットサイクル内燃エンジン。
【請求項２６】
前記圧縮シリンダは、１つ以上の層で断熱され、
各層は、鋼鉄またはセラミックからなる、
請求項１乃至２５のいずれかに記載のスプリットサイクル内燃エンジン。
【請求項２７】
前記燃焼シリンダは、１つ以上の層で断熱され、
各層は、鋼鉄またはセラミックからなる、
請求項１乃至２６のいずれかに記載のスプリットサイクル内燃エンジン。
【請求項２８】
燃焼ピストンを収容する燃焼シリンダと、
圧縮ピストンを収容し、前記燃焼シリンダに圧縮流体を供給するように配置され、冷却プロセスを介して液相に圧縮された液体を受け入れるように配置され、その結果、前記圧縮ピストンの圧縮ストローク中に、前記液体が気相へと蒸発し、その結果、前記圧縮ストロークにより生じる温度上昇が前記液体による熱吸収により制限される、圧縮シリンダと、
前記燃焼シリンダおよび／またはこれに付随する流体に関連するパラメータの指示を受信し、
前記指示されたパラメータが前記パラメータの目標値と等しいか、または前記パラメータの前記目標値より大きいとき、「通常モード」の量の前記液体が前記圧縮シリンダに供給され、
前記指示されたパラメータが前記パラメータの前記目標値より小さいとき、前記「通常モード」の量よりも少ない「コールドモード」の量の前記液体が前記圧縮シリンダに供給される、
ように、前記指示されたパラメータに基づいて、前記圧縮シリンダに供給される前記液体の量を制御するように構成された制御部と、
を備える、
ことを特徴とするスプリットサイクル内燃エンジン。
【請求項２９】
前記液体は、
液体窒素と、液体アルゴンと、液体ネオンと、のうち少なくとも１つ、
を含む、
請求項２８記載のスプリットサイクル内燃エンジン。
【請求項３０】
前記制御部は、前記スプリットサイクル内燃エンジンまたはその中の流体に関連する圧力の指示を受信し、前記指示された圧力に基づいて、前記圧縮シリンダに供給される前記液体の量を制御するように構成される、
請求項２８または２９記載のスプリットサイクル内燃エンジン。
【請求項３１】
前記制御部は、前記スプリットサイクル内燃エンジンまたはその中の流体に関連する酸素濃度の指示を受信し、前記指示された酸素濃度に基づいて、前記圧縮シリンダに供給される前記液体の量を制御するように構成される、
請求項２８乃至３０のいずれかに記載のスプリットサイクル内燃エンジン。
【請求項３２】
前記燃焼シリンダに供給される前記圧縮流体を加熱するために、前記燃焼シリンダの排気生成物に前記圧縮流体を熱的に連結するように構成されるレキュペレータを備える、
請求項２８乃至３１のいずれかに記載のスプリットサイクル内燃エンジン。
【請求項３３】
触媒被膜は、使用時に前記排気生成物と接触する前記レキュペレータの表面上に設けられる、
請求項３２記載のスプリットサイクル内燃エンジン。
【請求項３４】
前記触媒被膜は、前記触媒のライトオフを促進するために前記圧縮流体と前記排気生成物との両方により加熱されるために、使用時に前記圧縮流体および前記排気生成物と熱的に連通している状態であるように設けられる、
請求項３３記載のスプリットサイクル内燃エンジン。
【請求項３５】
前記目標温度より高い閾値温度を超える指示された温度について、前記制御部は、前記レキュペレータへの水の注入を制御するように構成される、
請求項３２乃至３４のいずれかに記載のスプリットサイクル内燃エンジン。
【請求項３６】
前記制御部は、
前記目標温度より高い前記閾値温度を超える前記指示された温度について、ホットモードの操作を規定するメモリ、
を備え、
前記制御部は、前記ホットモードにおいて、
前記指示された温度に基づいて、前記圧縮シリンダに供給される前記液体の速度と量とのうち少なくとも１つを制御し、
場合により、前記指示された温度に基づいて、前記スプリットサイクル内燃エンジンのレキュペレータへの水の注入を制御する、
ように構成される、
請求項３２乃至３５のいずれかに記載のスプリットサイクル内燃エンジン。
【請求項３７】
前記燃焼シリンダに関連する前記温度の前記指示は、前記圧縮シリンダの出口での温度と、前記燃焼シリンダの入口での温度と、前記燃焼シリンダの出口での温度と、前記レキュペレータでの温度と、のうち少なくとも１つを検知するように配置されるセンサにより与えられる、
請求項３２乃至３６のいずれかに記載のスプリットサイクル内燃エンジン。
【請求項３８】
前記燃焼シリンダの前記温度の前記指示は、前記触媒の位置での温度を検知するように配置されるセンサにより与えられる、
請求項３３記載のスプリットサイクル内燃エンジン。
【請求項３９】
前記燃焼シリンダの入口弁は、前記圧縮流体が前記燃焼シリンダに入ることを可能にするために、前記燃焼シリンダの内側に向けて開放するように配置される、
請求項２８乃至３８のいずれかに記載のスプリットサイクル内燃エンジン。
【請求項４０】
前記燃焼シリンダの入口弁は、前記圧縮流体が前記燃焼シリンダに入ることを可能にするために、前記燃焼シリンダから外側に向けて開放するように配置される、
請求項２８乃至３８のいずれかに記載のスプリットサイクル内燃エンジン。
【請求項４１】
前記圧縮シリンダは、１つ以上の層で断熱され、
各層は、鋼鉄またはセラミックからなる、
請求項２８乃至４０のいずれかに記載のスプリットサイクル内燃エンジン。
【請求項４２】
前記燃焼シリンダは、１つ以上の層で断熱され、
各層は、鋼鉄またはセラミックからなる、
請求項２８乃至４１のいずれかに記載のスプリットサイクル内燃エンジン。
【請求項４３】
燃焼ピストンを収容する燃焼シリンダと、
圧縮ピストンを収容し、前記燃焼シリンダに圧縮流体を供給するように配置される圧縮シリンダと、
前記燃焼シリンダおよび／またはこれに付随する流体に関連するパラメータの指示を受信し、
前記指示された温度が目標温度より低いとき、前記燃焼ピストンのリターンストローク中に、前記燃焼ピストンがその上死点位置（ＴＤＣ）に達する前に、前記燃焼シリンダの排気弁を閉じさせ、
前記指示された温度が前記目標温度と等しいか、または前記目標温度より高いとき、前記燃焼ピストンがその前記上死点位置（ＴＤＣ）に達するときに、前記燃焼ピストンのリターンストロークが終了したら、前記燃焼シリンダの前記排気弁を閉じさせる、
ように、前記指示されたパラメータに基づいて、前記排気弁を制御するように構成される制御部と、
を備える、
ことを特徴とするスプリットサイクル内燃エンジン。
【請求項４４】
燃焼ピストンを収容する燃焼シリンダと、
圧縮ピストンを収容し、前記燃焼シリンダに圧縮流体を供給するように配置され、冷却プロセスを介して液相に圧縮された液体を受け入れるように配置され、その結果、前記圧縮ピストンの圧縮ストローク中に、前記液体が気相へと蒸発し、その結果、前記圧縮ストロークにより生じる温度上昇が、前記液体による熱吸収により制限される、圧縮シリンダと、
前記燃焼シリンダおよび／またはこれに付随する流体に関連する温度の指示を受信し、
前記指示された温度が目標温度と等しいか、または前記目標温度より高いとき、「通常モード」の量の液体が前記圧縮シリンダに供給され、
前記指示された温度が前記目標温度より低いとき、前記「通常モード」の量より少ない「コールドモード」の量の液体が前記圧縮シリンダに供給される、
ように、前記指示された温度に基づいて、前記圧縮シリンダに供給される前記液体の量を制御するように構成される制御部と、
を備える、
ことを特徴とするスプリットサイクル内燃エンジン。
【請求項４５】
スプリットサイクル内燃エンジンを操作する方法であって、
前記スプリットサイクル内燃エンジンは、
燃焼ピストンを収容する燃焼シリンダと、
圧縮ピストンを収容し、前記燃焼シリンダに圧縮流体を供給するように配置される圧縮シリンダと、
を備え、
前記方法は、
燃焼シリンダおよび／またはこれに付随する流体に関連するパラメータの指示を受信する工程と、
前記指示されたパラメータに基づいて、前記燃焼シリンダの排気弁を制御する工程であって、
前記指示されたパラメータが前記パラメータの目標値より小さいとき、前記燃焼ピストンのリターンストローク中に、前記燃焼ピストンがその上死点位置に達する前に、前記燃焼シリンダの前記排気弁を閉じさせ、
前記指示されたパラメータが前記パラメータの前記目標値と等しいか、または前記パラメータの前記目標値より大きいとき、前記燃焼ピストンがその上死点位置に達するときに、前記燃焼ピストンの前記リターンストロークが終了したら、前記燃焼シリンダの前記排気弁を閉じさせる、
工程と、
を含む、
ことを特徴とする方法。
【請求項４６】
パラメータの前記指示は、前記燃焼シリンダおよび／またはこれに付随する流体に関連する温度の指示であり、
前記パラメータの前記目標値は、目標温度である、
請求項４５記載の方法。
【請求項４７】
パラメータの前記指示は、前記燃焼シリンダおよび／またはこれに付随する流体に関連する圧力の指示であり、
前記パラメータの前記目標値は、目標圧力である、
請求項４５記載の方法。
【請求項４８】
パラメータの前記指示は、前記燃焼シリンダに付随する流体の酸素濃度の指示であり、
前記パラメータの前記目標値は、目標酸素濃度である、
請求項４５記載の方法。
【請求項４９】
スプリットサイクル内燃エンジンを操作する方法であって、
前記スプリットサイクル内燃エンジンは、
燃焼ピストンを収容する燃焼シリンダと、
圧縮ピストンを収容し、前記燃焼シリンダに圧縮流体を供給するように配置され、冷却プロセスを介して液相に圧縮された液体を受け入れるように配置され、その結果、前記圧縮ピストンの圧縮ストローク中に、前記液体が気相へと蒸発し、その結果、前記圧縮ストロークにより生じる温度上昇が、前記液体による熱吸収により制限される、圧縮シリンダと、
を備え、
前記方法は、
前記燃焼シリンダに関連する温度の指示を受信する工程と、
前記指示された温度に基づいて、前記圧縮シリンダに供給される液体の量を制御する工程であって、
前記指示された温度が目標温度と等しいか、または前記目標温度より高いとき、「通常モード」の量の前記液体が前記圧縮シリンダに供給され、
前記指示された温度が前記目標温度より低いとき、前記「通常モード」の量より少ない「コールドモード」の量の前記液体が前記圧縮シリンダに供給される、
工程と、
を含む、
ことを特徴とする方法。
【請求項５０】
パラメータの前記指示は、前記燃焼シリンダおよび／またはこれに付随する流体に関連する温度の指示であり、
前記パラメータの前記目標値は、目標温度である、
請求項４９記載の方法。
【請求項５１】
パラメータの前記指示は、前記燃焼シリンダおよび／またはこれに付随する流体に関連する圧力の指示であり、
前記パラメータの前記目標値は、目標圧力である、
請求項４９記載の方法。
【請求項５２】
パラメータの前記指示は、前記燃焼シリンダに付随する流体の酸素濃度の指示であり、
前記パラメータの前記目標値は、目標酸素濃度である、
請求項４９記載の方法。
【請求項５３】
燃焼ピストンを収容し、燃焼シリンダへの流体の流れを制御する入口弁を備える燃焼シリンダと、
圧縮ピストンを収容し、前記入口弁を介して前記燃焼シリンダに圧縮流体を供給するように配置される圧縮シリンダと、
前記燃焼シリンダおよび／またはこれに付随する流体に関連するパラメータの指示を受信し、
前記指示されたパラメータが前記パラメータの目標値より小さいとき、前記燃焼ピストンのサイクル中、初期開位置で前記入口弁を開けさせ、
前記指示されたパラメータが前記目標値と等しいか、または前記目標値より大きいとき、後期開位置で前記入口弁を開けさせ、
前記後期開位置は、前記燃焼ピストンの前記サイクル中、前記初期開位置より後ろである、
ように、前記指示されたパラメータに基づいて、前記燃焼シリンダの前記入口弁を制御するように構成される制御部と、
を備える、
ことを特徴とするスプリットサイクル内燃エンジン。
【請求項５４】
前記燃焼ピストンの前記サイクルは、その下死点位置（ＢＤＣ）にある前記燃焼ピストンと共に開始し、終了し、
前記サイクルは、
前記ＢＤＣから前記ＢＤＣへと、その上死点位置（ＴＤＣ）を介して移動する前記燃焼ピストン、
を含む、
請求項５３記載のスプリットサイクル内燃エンジン。
【請求項５５】
前記初期開位置は、前記燃焼ピストンのリターンストローク中であり、前記燃焼ピストンが前記ＴＤＣに達する前である、
請求項５４記載のスプリットサイクル内燃エンジン。
【請求項５６】
前記後期開位置は、前記初期開位置よりも前記ＴＤＣに近い、
請求項５３または５４記載のスプリットサイクル内燃エンジン。
【請求項５７】
前記後期開位置は、前記燃焼ピストンのリターンストローク中であり、前記燃焼ピストンが前記ＴＤＣに達する前である、
請求項５４、５５、または５６記載のスプリットサイクル内燃エンジン。
【請求項５８】
パラメータの前記指示は、前記燃焼シリンダおよび／またはこれに付随する流体に関連する温度の指示であり、
前記パラメータの前記目標値は、目標温度である、
請求項５３乃至５７のいずれかに記載のスプリットサイクル内燃エンジン。
【請求項５９】
前記目標温度は、燃焼のための目標温度である、
請求項５８記載のスプリットサイクル内燃エンジン。
【請求項６０】
前記制御部は、前記燃焼ピストンが前記ＴＤＣよりｘ°後ろにある前記初期開位置で前記入口弁を開けるように構成される、
請求項５３乃至５９のいずれかに記載のスプリットサイクル内燃エンジン。
【請求項６１】
前記制御部は、前記燃焼ピストンが前記ＴＤＣよりｚ°後ろにある最大初期開位置が存在するように構成される、
請求項６０記載のスプリットサイクル内燃エンジン。
【請求項６２】
前記制御部は、ｘ°の値が、前記指示された温度と前記目標温度との間の温度差に基づくように構成される、
請求項６０または６１記載のスプリットサイクル内燃エンジン。
【請求項６３】
前記制御部は、前記指示された温度と前記目標温度との間の差に従って、前記入口弁の初期開位置を連続的に変更するように構成される、
請求項６２記載のスプリットサイクル内燃エンジン。
【請求項６４】
前記制御部は、前記指示された温度と前記目標温度との間の差に従って、前記ＴＤＣより後ろの位相角ｚ°から前記ＴＤＣまでの間の前記燃焼ピストンの位置について、前記入口弁の複数の別個の初期開位置の１つを選択するように構成される、
請求項６１またはその従属項のいずれかに記載のスプリットサイクル内燃エンジン。
【請求項６５】
前記制御部は、前記スプリットサイクル内燃エンジンまたはその中の流体に関連する圧力の指示を受信し、前記指示された圧力に基づいて、前記入口弁を制御するように構成される、
請求項５８またはその従属項のいずれかに記載のスプリットサイクル内燃エンジン。
【請求項６６】
前記燃焼シリンダに供給される前記圧縮流体を加熱するために、前記燃焼シリンダの排気生成物に前記圧縮流体を熱的に連結するように構成されるレキュペレータ、
を備える、
請求項１乃至４４および５３乃至６５のいずれかに記載のスプリットサイクル内燃エンジン。
【請求項６７】
前記レキュペレータは、前記圧縮シリンダから前記入口弁を介して前記燃焼シリンダへと圧縮流体を供給するために、前記燃焼シリンダと前記圧縮シリンダとに連結する、
請求項６６記載のスプリットサイクル内燃エンジン。
【請求項６８】
前記燃焼シリンダは、
排気弁、
を備え、
前記制御部は、前記燃焼ピストンの前記サイクルにおいて、前記入口弁の前記開操作よりも初期に前記排気弁を閉じるように制御するように構成される、
請求項１乃至４４および５３乃至６７のいずれかに記載のスプリットサイクル内燃エンジン。
【請求項６９】
前記制御部は、前記指示されたパラメータに基づく位置で前記排気弁を閉じるように制御するように構成される、
請求項６８記載のスプリットサイクル内燃エンジン。
【請求項７０】
前記制御部は、前記指示されたパラメータが前記パラメータの前記目標値より小さいとき、前記燃焼ピストンが前記ＴＤＣに達する前に、前記燃焼ピストンのリターンストローク中の前記初期閉位置で前記排気弁を閉じさせるように、前記指示されたパラメータに基づいて、前記排気弁を制御するように構成される、
請求項６８または６９記載のスプリットサイクル内燃エンジン。
【請求項７１】
前記制御部は、前記パラメータが前記目標値と等しいか、または前記目標値より大きいとき、後期閉位置で前記排気弁を閉じさせるように、前記指示されたパラメータに基づいて、前記排気弁を制御するように構成され、
前記後期閉位置は、前記燃焼ピストンの前記サイクル中、前記初期閉位置より後ろである、
請求項７０記載のスプリットサイクル内燃エンジン。
【請求項７２】
前記制御部は、前記排気弁の閉操作と前記入口弁の開操作との間の時間差が一定になるように制御するように構成される、
請求項６８乃至７１のいずれかに記載のスプリットサイクル内燃エンジン。
【請求項７３】
前記制御部は、前記排気弁の前記閉操作と前記入口弁の前記開操作との間の前記燃焼ピストンの前記サイクルにおけるクランク角度の差が一定になるように制御するように構成される、
請求項６８乃至７１のいずれかに記載のスプリットサイクル内燃エンジン。
【請求項７４】
前記差の大きさは、前記制御部により制御される、
請求項７２または７３記載のスプリットサイクル内燃エンジン。
【請求項７５】
前記制御部は、前記指示されたパラメータに基づいて、前記差の大きさを判定するように構成される、
請求項７４記載のスプリットサイクル内燃エンジン。
【請求項７６】
前記制御部は、前記初期開位置に基づく位置で前記排気弁を閉じるように制御するように構成される、
請求項６８乃至７５のいずれかに記載のスプリットサイクル内燃エンジン。
【請求項７７】
前記制御部は、前記燃焼ピストンが前記ＴＤＣよりｗ°後ろにある前記初期閉位置で前記排気弁を閉じるように構成される、
請求項６８乃至７６のいずれかに記載のスプリットサイクル内燃エンジン。
【請求項７８】
前記制御部は、前記燃焼ピストンが前記ＴＤＣよりｙ°後ろにある前記排気弁の最大初期閉位置が存在するように構成される、
請求項７７記載のスプリットサイクル内燃エンジン。
【請求項７９】
スプリットサイクル内燃エンジンを操作する方法であって、
前記スプリットサイクル内燃エンジンは、
燃焼ピストンを収容し、燃焼シリンダへの流体の流れを制御する入口弁を備える燃焼シリンダと、
圧縮ピストンを収容し、前記入口弁を介して前記燃焼シリンダに圧縮流体を供給するように配置される圧縮シリンダと、
を備え、
前記方法は、
前記燃焼シリンダおよび／またはこれに付随する流体に関連するパラメータの指示を受信する工程と、
前記指示されたパラメータに基づき、前記燃焼シリンダの前記入口弁を制御する工程であって、
前記指示されたパラメータが前記パラメータの目標値より小さいとき、前記燃焼ピストンのサイクル中、初期開位置で前記入口弁を開けさせ、
前記指示されたパラメータが前記目標値と等しいか、または前記目標値より大きいとき、後期開位置で前記入口弁を開けさせ、
前記後期開位置は、前記燃焼ピストンの前記サイクル中、前記初期開位置より後ろである、
工程と、
を含む、
ことを特徴とする方法。
【請求項８０】
前記燃焼ピストンの前記サイクルは、その下死点位置（ＢＤＣ）にある前記燃焼ピストンと共に開始し、終了し、
前記サイクルは、
前記ＢＤＣから前記ＢＤＣへと、その上死点位置（ＴＤＣ）を介して移動する前記燃焼ピストン、
を含む、
請求項７９記載の方法。
【請求項８１】
前記初期開位置は、前記燃焼ピストンのリターンストローク中であり、前記燃焼ピストンが前記上死点位置に達する前である、
請求項８０記載の方法。
【請求項８２】
前記後期開位置は、前記初期開位置よりも前記ＴＤＣに近い、
請求項８０または８１記載の方法。
【請求項８３】
前記後期開位置は、前記燃焼ピストンのリターンストローク中であり、前記燃焼ピストンが前記ＴＤＣに達する前である、
請求項８０、８１、または８２記載の方法。
【請求項８４】
パラメータの前記指示は、前記燃焼シリンダおよび／またはこれに付随する流体に関連する温度の指示であり、
前記パラメータの前記目標値は、目標温度である、
請求項７９乃至８２のいずれかに記載の方法。
【請求項８５】
パラメータの前記指示は、前記燃焼シリンダおよび／またはこれに付随する流体に関連する圧力の指示であり、
前記パラメータの前記目標値は、目標圧力である、
請求項７９乃至８２のいずれかに記載の方法。
【請求項８６】
パラメータの前記指示は、前記燃焼シリンダに付随する流体の酸素濃度の指示であり、
前記パラメータの前記目標値は、目標酸素濃度である、
請求項７９乃至８２のいずれかに記載の方法。
【請求項８７】
燃焼ピストンを収容し、燃焼シリンダへの流体の流れを制御する入口弁を備える燃焼シリンダと、
圧縮ピストンを収容し、前記入口弁を介して前記燃焼シリンダに圧縮流体を供給するように配置される圧縮シリンダと、
燃焼シリンダおよび／またはこれに付随する流体に関連するパラメータの指示を受信し、
前記指示されたパラメータが前記パラメータの目標値より小さいとき、前記指示されたパラメータに基づいて、前記燃焼ピストンのサイクル中、初期開位置で前記燃焼シリンダの入口弁を開けるように制御し、
前記指示されたパラメータが前記パラメータの目標値より小さいとき、前記指示されたパラメータに基づき、前記燃焼ピストンの前記サイクル中、初期閉位置で前記燃焼シリンダの排気弁を閉じるように制御する、
ように構成される制御部と、
を備える、
ことを特徴とするスプリットサイクル内燃エンジン
【請求項８８】
前記燃焼ピストンの前記サイクルは、その下死点位置（ＢＤＣ）にある前記燃焼ピストンと共に開始し、終了し、
前記サイクルは、
前記ＢＤＣから前記ＢＤＣへと、その上死点位置（ＴＤＣ）を介して移動する前記燃焼ピストン、
を含む、
請求項８７記載のスプリットサイクル内燃エンジン。
【請求項８９】
前記入口弁の前記初期開位置は、前記燃焼ピストンのリターンストローク中であり、前記燃焼ピストンが前記ＴＤＣに達する前である、
請求項８７または８８記載のスプリットサイクル内燃エンジン。
【請求項９０】
前記排気弁の前記初期閉位置は、前記燃焼ピストンのリターンストローク中であり、前記燃焼ピストンが前記ＴＤＣに達する前である、
請求項８７乃至８９のいずれかに記載のスプリットサイクル内燃エンジン。
【請求項９１】
前記指示されたパラメータが前記目標値と等しいか、または前記目標値より大きいとき、前記制御部は、前記指示されたパラメータに基づいて、後期開位置で前記燃焼シリンダの入口弁を開けるように制御するように構成され、
前記後期開位置は、前記燃焼ピストンサイクル中、前記初期開位置より後ろである、
請求項８７乃至９０のいずれかに記載のスプリットサイクル内燃エンジン。
【請求項９２】
前記指示されたパラメータが前記目標値と等しいか、または前記目標値より大きいとき、前記制御部は、前記指示されたパラメータに基づいて、後期閉位置で前記燃焼シリンダの前記排気弁を閉じるように制御するように構成され、
前記後期閉位置は、前記燃焼ピストンの前記サイクル中、前記初期閉位置より後ろである、
請求項８７乃至９１のいずれかに記載のスプリットサイクル内燃エンジン。
【請求項９３】
前記制御部は、前記指示されたパラメータと前記パラメータの前記目標値との間の差に従って、前記初期開位置と前記初期閉位置とのうち少なくとも１つを連続的に変更するように構成される、
請求項９１の従属項として、請求項９２記載のスプリットサイクル内燃エンジン。
【請求項９４】
前記制御部は、前記初期開位置と前記初期閉位置との両方を連続的に変更するように構成される、
請求項９３記載のスプリットサイクル内燃エンジン。
【請求項９５】
前記制御部は、前記排気弁の閉操作と前記入口弁の開操作との間の時間差が一定になるように制御するように構成される、
請求項８７乃至９４のいずれかに記載のスプリットサイクル内燃エンジン。
【請求項９６】
前記制御部は、前記排気弁の前記閉操作と前記入口弁の前記開操作との間の前記燃焼ピストンの前記サイクルにおけるクランク角度の差が一定になるように制御するように構成される、
請求項８７乃至９４のいずれかに記載のスプリットサイクル内燃エンジン。
【請求項９７】
前記差の大きさは、前記制御部により制御される、
請求項９５または９６記載のスプリットサイクル内燃エンジン。
【請求項９８】
前記制御部は、前記指示されたパラメータに基づいて、前記差の大きさを判定するように構成される、
請求項９７記載のスプリットサイクル内燃エンジン。
【請求項９９】
前記制御部は、前記入口弁の前記初期開位置に基づく位置で前記排気弁を閉じるように制御するように構成される、
請求項８７乃至９６のいずれかに記載のスプリットサイクル内燃エンジン。
【請求項１００】
スプリットサイクル内燃エンジンを操作する方法であって、
前記スプリットサイクル内燃エンジンは、
燃焼ピストンを収容し、燃焼シリンダへの流体の流れを制御する入口弁を備える燃焼シリンダと、
圧縮ピストンを収容し、前記入口弁を介して前記燃焼シリンダに圧縮流体を供給するように配置される圧縮シリンダと、
を備え、
前記方法は、
前記燃焼シリンダおよび／またはこれに付随する流体に関連するパラメータの指示を受信する工程と、
前記指示されたパラメータが前記パラメータの目標値より小さいとき、前記指示されたパラメータに基づいて、前記燃焼ピストンのサイクル中、初期開位置で前記燃焼シリンダの前記入口弁を開けるように制御する工程と、
前記指示されたパラメータが前記パラメータの前記目標値より小さいとき、前記指示されたパラメータに基づいて、前記燃焼ピストンの前記サイクル中、初期閉位置で前記燃焼シリンダの排気弁を閉じるように制御する工程と、
を含む、
ことを特徴とする方法。
【請求項１０１】
前記方法は、
前記指示されたパラメータが前記目標値と等しいか、または前記目標値より大きいとき、前記指示されたパラメータに基づいて、後期開位置で前記燃焼シリンダの前記入口弁を開けるように制御する工程、
を含み、
前記後期開位置は、前記燃焼ピストンの前記サイクル中、前記初期開位置より後ろである、
請求項１００記載の方法。
【請求項１０２】
前記方法は、
前記指示されたパラメータが前記目標値と等しいか、または前記目標値より大きいとき、前記指示されたパラメータに基づいて、前記燃焼ピストンの前記サイクル中、後期閉位置で前記燃焼シリンダの排気弁を閉じるように制御する工程、
を含む、
請求項１００または１０１記載の方法。
【請求項１０３】
前記燃焼ピストンの前記サイクルは、その下死点位置（ＢＤＣ）にある前記燃焼ピストンと共に開始し、終了し、
前記サイクルは、前記ＢＤＣから前記ＢＤＣへと、その上死点位置（ＴＤＣ）を介して移動する前記燃焼ピストンを含む、
請求項１００乃至１０２のいずれかに記載の方法。
【請求項１０４】
前記入口弁の前記初期開位置は、前記燃焼ピストンのリターンストローク中であり、前記燃焼ピストンが前記ＴＤＣに達する前である、
請求項１００乃至１０３のいずれかに記載の方法。
【請求項１０５】
前記排気弁の前記初期閉位置は、前記燃焼ピストンのリターンストローク中であり、前記燃焼ピストンが前記ＴＤＣに達する前である、
請求項１００乃至１０４のいずれかに記載の方法。
【請求項１０６】
前記方法は、
前記指示されたパラメータと前記パラメータの前記目標値との間の差に従って、前記初期開位置と前記初期閉位置とのうち少なくとも１つを連続的に変更するように、前記入口弁と前記排気弁とのうち少なくとも１つを制御する工程、
を含む、
請求項１０１の従属項として、請求項１０２またはその従属項のいずれかに記載の方法。
【請求項１０７】
前記方法は、
前記初期開位置と前記初期閉位置との両方を連続的に変更する工程、
を含む、
請求項１０６記載の方法。
【請求項１０８】
前記方法は、
前記排気弁の閉操作と前記入口弁の開操作との間の時間差が一定になるように制御する工程、
を含む、
請求項１００乃至１０７のいずれかに記載の方法。
【請求項１０９】
前記方法は、
前記排気弁の前記閉操作と前記入口弁の前記開操作との間の前記燃焼ピストンの前記サイクルにおけるクランク角度の差が一定になるように制御する工程、
を含む、
請求項１００乃至１０８のいずれかに記載の方法。
【請求項１１０】
前記方法は、
前記差の大きさを制御する工程、
を含む、
請求項１０８または１０９記載の方法。
【請求項１１１】
前記方法は、
前記指示されたパラメータに基づいて、前記差の大きさを判定する工程、
を含む、
請求項１１０記載の方法。
【請求項１１２】
前記方法は、
前記入口弁の前記初期開位置に基づく位置で前記排気弁を閉じるように制御する工程、
を含む、
請求項１００乃至１０７のいずれかに記載の方法。
【請求項１１３】
請求項４５乃至５２、７９乃至８６のいずれか、および／または請求項１００乃至１１２のいずれかに記載の方法を実施するプロセッサをプログラミングするように構成されるコンピュータプログラム命令、
を含む、
ことを特徴とする非一時的コンピュータ可読媒体。
【発明の詳細な説明】
【技術分野】
【０００１】
本開示は、スプリットサイクル内燃エンジンと、スプリットサイクル内燃エンジンの操作方法と、に関する。
【背景技術】
【０００２】
スプリットサイクル内燃エンジンにおいて、空気を含む作動流体は、第１圧縮シリンダで圧縮され、第２燃焼シリンダに供給される。第２燃焼シリンダにおいて、燃料が注入され、燃料と高圧流体との混合物が燃焼して、駆動を生み出す。熱力学的利点は、圧縮と膨張／燃焼プロセスとをこの様式で分離することに由来し得る。特許文献１は、スプリットサイクルエンジンと、関連する熱力学的な長所と、を記載している。
【０００３】
スプリットサイクルエンジンにおいて、さらなる熱力学的利点は、圧縮ストローク中に極低温流体を圧縮シリンダに注入することにより達成され得る。このようなシステムと方法とが、特許文献２に記載されている。
【０００４】
特に、寒剤が使用されるエンジンでは、圧縮流体を燃焼シリンダに運ぶ途中で加熱するために、圧縮シリンダから膨張シリンダに圧縮流体を運ぶ第１流体経路と、燃焼シリンダの出口から排気ガスを運ぶ第２流体経路と、を有するレキュペレータが設けられてもよい。このことは、燃焼シリンダに到達する圧縮流体が、燃料が注入されたときに、燃焼が起こり得るほど十分に熱くなることを確実にすることに役立ち得る。
【先行技術文献】
【特許文献】
【０００５】
【特許文献１】ＷＯ２０１０／０６７０８０号
【特許文献２】ＷＯ２０１６／０１６６６４号
【発明の概要】
【０００６】
本願発明者は、レキュペレータ内に排熱がほとんどないか、または全くないときに、圧縮流体が燃焼にとって最適ではない温度で燃焼シリンダに到達する、エンジンのスタートアップ（「コールドスタート」）中に、効率的な燃焼の達成が困難である場合があることを認識している。
【０００７】
本明細書に記載される実施形態は、これらの困難に対処するものである。
【０００８】
本発明は、添付の特許請求の範囲に示される。
【０００９】
以下の記載において、「極低温」流体または「極低温」液体という用語は、冷却プロセスを介して、液相に圧縮された流体を指すために用いられる。
【００１０】
本明細書に記載される実施形態は、圧縮ストローク中に極低温流体が注入されるスプリットサイクルエンジンに関する。他の例では、本明細書に記載される方法は、寒剤の注入なく行われてもよい。さらに、レキュペレータからの出口で最終温度を制御するために、他の流体（一例として水）がレキュペレータに加えられてもよい。
【００１１】
本明細書に記載のとおり、スプリットサイクルエンジンは、燃焼シリンダおよび／またはこれに付随する流体に関連するパラメータの指示を受信し、指示されたパラメータ（指示パラメータ）に基づいて、エンジンの特徴を制御するように構成される制御部を備える。
【００１２】
パラメータは、温度と、圧力と、酸素濃度と、のうち１つ以上であってもよい。したがって、パラメータの指示は、温度データと、圧力データと、酸素濃度データと、のうち１つ以上を含んでもよい。
【００１３】
制御部は、温度と圧力とのデータ、温度と酸素濃度とのデータ、圧力と酸素濃度とのデータ、または温度と圧力と酸素濃度とのデータ、を受信し、寒剤注入と、排気弁のタイミングと、レキュペレータへの水注入と、のうち１つ以上を個々に、または組み合わせて制御するために、このデータを使用してもよい。
【００１４】
パラメータが温度である場合には、指示された温度（指示温度）は、燃焼シリンダの内温、スプリットサイクルエンジンのレキュペレータ（特に、触媒で被覆されたレキュペレータの表面）の内温、レキュペレータ内の圧縮流体の温度、燃焼シリンダの入口での圧縮流体の温度、または排気ガスの温度、のうち少なくとも１つでもよい。
【００１５】
パラメータが圧力である場合には、指示圧力は、燃焼シリンダの内圧、スプリットサイクルエンジンのレキュペレータの内圧、レキュペレータ内の圧縮流体の圧力、燃焼シリンダの入口での圧縮流体の圧力、または排気ガスの圧力、のうち少なくとも１つでもよい。
【００１６】
パラメータが酸素濃度である場合には、指示された酸素濃度（指示酸素濃度）は、燃焼シリンダ内の酸素濃度、スプリットサイクルエンジンのレキュペレータ内の酸素濃度、レキュペレータ内の圧縮流体の酸素濃度、燃焼シリンダの入口での圧縮流体の酸素濃度、または排気ガスの酸素濃度、のうち少なくとも１つでもよい。
【００１７】
制御されるスプリットサイクルエンジンの特徴は、排気弁の閉操作のタイミング、圧縮ストローク中の寒剤注入の量、または速度と、燃焼シリンダへの燃料注入の速度、量、またはタイミングと、のうち１つ以上でもよい。
【００１８】
いくつかの実施形態では、エンジンの特徴は、パラメータの指示とそのパラメータの目標値との比較に基づいて、制御される。
【００１９】
いくつかの実施形態では、エンジンの特徴は、パラメータの指示とそのパラメータの目標値との間の差に基づいて、制御される。
【００２０】
いくつかの実施形態では、制御部は、燃焼シリンダの入口での圧縮流体の温度の指示を受信し、燃焼シリンダの入口での圧縮流体の指示温度と目標温度との比較に基づいて、燃焼シリンダの排気弁の閉操作を制御するように構成される。目標温度は、燃焼シリンダ内の燃焼にとって望ましい温度に基づいて、規定されてもよい。本明細書に記載のとおり、制御部は、指示温度がある温度より低いとき、燃焼ピストンがその上死点位置（ＴＤＣ）に達する前に、燃焼ピストン（１０８，１２８）のリターンストローク中に排気弁を閉じさせ、指示温度が目標温度と等しいか、または目標温度より高いとき、燃焼ピストンがその上死点位置（ＴＤＣ）に達したとき、燃焼ピストンのリターンストロークの終了時に排気弁を閉じさせるように構成される。
【００２１】
指示温度がある温度より低い場合、燃焼ピストンがその上死点位置（ＴＤＣ）に達する前に排気弁を閉じることは、「コールドスタート」モードの操作として記載されてもよい。この操作は、燃焼にとって最適ではない指示温度に対応し、このことは、レキュペレータ内に、収集に利用可能な熱がないことに起因し得る。燃焼ピストンがＴＤＣに達する前に排気弁を閉じることにより、次のエンジンサイクルにおける燃焼を補助するためにシリンダの温度を上げるために、燃焼の熱い排気ガスの一部が、燃焼シリンダの内部に保持され、圧縮されてもよい。
【００２２】
燃焼ピストンがその上死点位置（ＴＤＣ）に達したときに、燃焼ピストンのリターンストロークの終了時に排気弁を閉じることは、「通常モード」の操作として記載されてもよい。この操作は、燃焼にとって許容され得る指示温度に対応する。この条件は、通常、レキュペレータの後に達すると予想される。それにより、燃焼シリンダの入口に供給される圧縮流体の温度は、レキュペレータを通る熱い排気ガスの流れとして温められる。排気弁は、この条件下で、燃焼ピストンがそのリターンストロークを終了したときに閉じられてもよく、燃焼シリンダからレキュペレータ経路へと全ての排気ガスを排出する。
【００２３】
他の例では、弁のタイミング制御は、場合により温度測定に加え、圧力および／または酸素濃度の測定に基づく。
【００２４】
いくつかの実施形態では、制御部は、燃焼シリンダの入口での圧縮流体の温度の指示を受信し、圧縮ストローク中に圧縮シリンダに供給される極低温流体の量を制御するように構成される。これにより、燃焼シリンダの入口での圧縮流体を目標燃焼温度まで上げるための熱がレキュペレータ内で不十分である「コールド」サイクル中の圧縮流体の温度上昇に対する制限は、低減される。
【００２５】
制御は、燃焼シリンダの入口での圧縮流体の指示温度と目標温度との比較に基づいてもよい。目標温度は、シリンダ内の燃焼にとって望ましい温度に基づいて、規定されてもよい。本明細書に記載のとおり、制御部は、指示温度が目標温度と等しいか、または目標温度より高い場合、「通常モード」の量の極低温液体が圧縮シリンダに供給され、指示温度が目標温度より低い場合、「通常モード」の量より少ない「コールドモード」の量の極低温液体が圧縮シリンダに供給されるように、圧縮シリンダ内に注入される極低温流体の量を制御するように配置されてもよい。
【００２６】
「通常モード」の量の寒剤は、一般的に、圧縮ピストンの圧縮ストローク中に、極低温液体が気相へと蒸発し、圧縮ストロークにより生じる温度上昇が、極低温液体による熱吸収により、略０に制限されるような、寒剤注入の速度と量とであると理解されよう。これは、さらに効率的な圧縮を可能にし得る。これは、排気ガスから戻される熱の量が最大になることも可能にし得る。
【００２７】
指示温度が、「通常モード」の操作の目標温度よりも高い場合、「ホットモード」の操作が利用可能でもよい。このモードでは、加えられる極低温液体の量は入口での温度に基づいて最適化されてもよく、そのため、高負荷条件下でより多くの熱が利用可能な場合には、温度は、圧縮作業が行われる前よりも、圧縮終了時の方が低い。「ホットモード」の寒剤の量は、「通常モード」の量よりも大きい、圧縮ストロークあたりの寒剤注入の量および／または速度であり、その結果、圧縮シリンダ内の流体の温度は、安全限界内に制御可能であることが理解されよう。さらなる温度制御とハードウェア保護とのために、高負荷条件下で、レキュペレータに水が加えられてもよい。
【００２８】
「コールドモード」の量の寒剤は、「通常モード」の量よりも小さい、圧縮ストロークあたりの寒剤注入の量および／または速度であり、その結果、圧縮シリンダ内の流体の温度が圧縮の結果として上がることを可能にすることが理解されよう。これは、圧縮流体がより熱い状態で圧縮シリンダを出て、レキュペレータ内で利用可能な熱の不足を補うことを可能にする。
【００２９】
他の例では、寒剤注入の制御は、場合により温度測定に加え、圧力および／または酸素濃度の測定に基づく。
【００３０】
他の例では、排気弁のタイミングと寒剤注入とは、両方とも１つ以上の測定されたエンジンパラメータに基づいて、制御される。
【００３１】
ここで、本発明の実施形態を、以下の添付の図面を参照ながら、例示として説明する。
【図面の簡単な説明】
【００３２】
【図１】図１は、スプリットサイクル内燃エンジンの模式図を示す。
【図２ａ】図２ａは、コールドスタートモード中のスプリットサイクルエンジンの燃焼シリンダの操作における段階を示す。
【図２ｂ】図２ｂは、通常駆動モード中の燃焼シリンダの操作における段階を示す。
【図３】図３は、燃焼シリンダの排気弁を制御する判定チャートを示す。
【図４】図４は、燃焼シリンダにおける相対的な弁のタイミングを表す。
【図５ａ】図５ａは、燃焼シリンダ内の燃焼ピストンの位置により示される排気弁閉位置の例を示す。
【図５ｂ】図５ｂは、排気弁を制御する制御部判定プロセスを示す。
【図５ｃ】図５ｃは、排気弁を制御する際に使用されるルックアップテーブルを示す。
【図６】図６は、スプリットサイクルエンジンの圧縮シリンダの寒剤入口弁を制御する判定プロセスを示す。
【図７】図７は、燃焼シリンダのシリンダヘッド内の弁の配置例を示す。
【図８】図８は、スプリットサイクル内燃エンジンの模式図を示す。
【図９ａ】図９ａは、コールドスタートモード中のスプリットサイクルエンジンの燃焼シリンダの操作における段階を示す。
【図９ｂ】図９ｂは、通常駆動モード中の燃焼シリンダの操作における段階を示す。
【図１０ａ】図１０ａは、コールドスタートモード中のスプリットサイクルエンジンの燃焼シリンダの操作における段階を示す。
【図１０ｂ】図１０ｂは、通常駆動モード中の燃焼シリンダの操作における段階を示す。
【図１１】図１１は、通常駆動モード中のスプリットサイクル内燃エンジンの最適操作のための理想的な圧力トレースを示す。
【図１２】図１２は、入口弁の開操作と排気弁の閉操作とのタイミングを変更することによる結果を示すグラフを示す。
【図１３】図１３は、入口弁の開操作と排気弁の閉操作とのタイミングを変更することによる結果を示すグラフを示す。
【発明を実施するための形態】
【００３３】
図１は、スプリットサイクル内燃エンジン１０１の模式図を示す。図示されるとおり、スプリットサイクル内燃エンジンは、圧縮シリンダ１０４と燃焼シリンダ１２６とを備える。各シリンダは、その中を往復運動するように構成される関連するピストンを有する。当業者は、複数の同様の圧縮シリンダと燃焼シリンダとが存在してもよいことを理解するだろう。圧縮シリンダ１０４は、寒剤容器１１２に接続される寒剤入口弁１１０を備える。圧縮シリンダ１０４は、圧縮空気供給を受け入れるため、ターボチャージャ１０２に接続される流体入口弁１０６と、流体出口弁１１６と、を有する。燃焼シリンダ１２６の流体入口弁１２４は、圧縮シリンダ１０４からの圧縮流体を受け入れるため、流体出口弁１１６に連結される。燃焼シリンダは、燃料源１３２に連結される燃料入口弁１３０と、排気弁１３４と、も有する。
【００３４】
圧縮流体は、圧縮シリンダの流体出口弁１１６と燃焼シリンダの流体入口弁１２４との間の経路１２０に沿って、レキュペレータ１１８を通る。このレキュペレータ１１８は、燃焼シリンダ排気弁１３４から排気経路１３６を通って排気口１３８を通る排気ガスにより加熱される。
【００３５】
スプリットサイクルエンジン１０１は、制御部１００を備える。制御部１００は、少なくとも１つのセンサ１２２に接続される。いくつかの例では、少なくとも１つのセンサ１２２は、温度センサ、圧力センサ、酸素濃度センサ、またはこれらの任意の組み合わせ、でもよい。図示される例では、温度センサ１２２は、燃焼シリンダ１２６付近に配置され、レキュペレータ１１８と燃焼シリンダ流体取込弁１２４との間の圧縮流体の経路１２０に沿った点で、流体を取り込む。このセンサ１２２は、圧縮流体の温度を検知し、検知した温度データを制御部１００に戻して報告するように操作可能である。制御部１００は、この温度データを受信し、受信した温度データに少なくとも部分的に基づいて、燃焼シリンダ１２６上の排気弁１３４のタイミングを制御するように構成される。制御部１００はまた、圧縮シリンダ１０４に注入される寒剤の量を制御するために、寒剤入口弁１１０の操作を調節するように操作可能でもよい。
【００３６】
燃焼シリンダ１２６内で燃焼が起こった後、排気ガスは、排気弁１３４を介して燃焼シリンダ１２６を出て行き、圧縮シリンダの出口弁１１６と燃焼シリンダの入口弁１２４との間の経路１２０に沿って移動する圧縮流体を加熱するため、レキュペレータ１１８と熱連結する排気経路１３６に沿って移動する。
【００３７】
前述の１つ以上のセンサは、数多くの場所に配置されてもよい。特に、１つ以上のセンサが、図１に示されるとおり燃焼シリンダ上の入口弁１２４付近、レキュペレータ１１８内、または圧縮シリンダの出口弁１１６の付近、に配置されてもよい。
【００３８】
図２ａは、段階２００ａ，２０２ａ，２０４ａ，２０６ａおよび２０８ａを含む、コールドスタートモードの操作中に燃焼シリンダを制御するプロセスを、通常駆動モードの段階２００ｂ，２０２ｂ，２０４ｂ，２０６ｂおよび２０８ｂを示す図２ｂと比較することにより、模式的に示す。段階２００ａでは、燃焼ピストン１２８がＴＤＣにあるとき、圧縮された流体−燃料混合物が発火する。エンジンの燃料の種類に応じて、この発火は、スパークプラグまたは自動発火により開始されてもよい。燃料燃焼から放出されるエネルギーに起因する圧力上昇は、燃焼ピストンを下死点（ＢＤＣ）に向かって駆動させ、クランクシャフト１１４をさらに駆動させる。一旦燃焼ピストンがＢＤＣに達すると、燃焼混合物が膨張し、燃焼シリンダ１２６を満たし、排気弁１３４が開く（段階２０２ａ）。次いで、燃焼ピストンがＴＤＣに向かって進み、排気ガスを排気弁１３４から排出する。
【００３９】
コールドスタートモードにおいて、燃焼ピストンがＴＤＣに達する前に、排気弁１３４は、閉じられる。このことは段階２０４ａで示され、排気弁１３４は、燃焼ピストンがＢＤＣからＴＤＣまでの道程の約６５％に達したときに、閉じられる。次いで、ピストンがＴＤＣに達すると、残りの排気ガスは圧縮され、段階２０６ａで示されるとおり、入口弁は、圧縮流体が燃焼シリンダ１２６内に流れることを可能にするように、開かれる。入口弁１２４が閉じられ、注入された燃料が点火され（段階２０８ａ）、サイクルが再び開始する。燃焼シリンダ１２６内に残る排気ガスは、排気弁１３４が閉じられるとき、圧縮流体を加熱する。これは、エンジン内、特にレキュペレータ１１８内の熱の不足を補うことにより、エンジンの効率における上昇を導き得る。したがって、圧縮流体は、十分に高い温度で燃焼シリンダの入口に達し、排気ガスからの熱も戻される。
【００４０】
これは、図２ｂの通常駆動モードとは対照的である。このサイクルでは、段階２００ｂ，２０２ｂ，２０６ｂおよび２０８ｂは、それぞれ、２００ａ，２０２ａ，２０６ａおよび２０８ａに対応する。コールドスタートモードと通常駆動モードとの間の差は、段階２０４ｂで強調される。ここで、燃焼ピストンがＴＤＣに達するまで、排気弁１３４は、排気ガスの大部分が燃焼シリンダから排出されるように、開いている。このモードにおいて、エンジンは「通常」駆動しており、それにより、排気ガスの全て、または大部分がレキュペレータ内へと排出される。
【００４１】
図３は、制御部１００で生じる制御プロセスのフロー図を示す。制御部１００は、燃焼シリンダ１２６の入口付近に配置される温度センサから、燃焼シリンダ１２６の入口温度の指示を受信する。次いで、この温度Ｔｉは、目標温度Ｔｔａｒｇｅｔと比較される。この例では、Ｔｔａｒｇｅｔは、例えば、燃料が注入されたときに効率的な燃焼を可能にし得る、燃焼シリンダの入口１２４での圧縮流体にとって望ましい温度である。
【００４２】
ＴｉがＴｔａｒｇｅｔより低いか、またはＴｔａｒｇｅｔと等しい場合（「通常駆動」モードに対応する）、制御部は、燃焼ピストンがＴＤＣに達する前に排気弁１３４を閉じるように、排気弁１３４のタイミングを制御し、排気ガスの一部を燃焼シリンダ１２６内に捕捉させる。
【００４３】
ＴｉがＴｔａｒｇｅｔより高いか、またはＴｔａｒｇｅｔと等しいとき（「コールドスタート」モードに対応する）、制御部は、燃焼ピストンがＴＤＣにある時点で排気弁１３４が閉じられるように、排気弁１３４の操作タイミングを制御し、この時点で、大部分の排気ガスは、圧縮ガスがレキュペレータにより十分に加熱されるため、排出される。
【００４４】
図４は、通常駆動モードでの燃焼シリンダ弁の開閉操作の相対的なタイミング（位相角／クランク角度として）の代表例を示す。長い方の放射状直線（４００，４０４および４０８）は、弁制御事象を表す。全体で３６０°の時計回りの円移動が、全ピストンサイクルを表す。
【００４５】
位相角４０８で、燃焼シリンダ１２６の全ての弁が閉じられ、燃焼シリンダ内に燃焼性混合物が存在する。燃焼ピストンは、ＴＤＣにある。次いで、この混合物が点火され、ピストンはＢＤＣへ向かって移動する。
【００４６】
時計回りに移動すると、位相角４００は、燃焼ピストンがＢＤＣに達する少し前に生じる排気弁の開状態（ＥＶＯ）を表す。この位置は、垂直線からの時計回りの度数により表されることができ、ＴＤＣからの燃焼ピストンの位相角のオフセットに対応する。例えば、ＥＶＯは、図４に示される例では、１７０°で生じてもよい。
【００４７】
排気弁１３４は、排気弁の閉（ＥＶＣ）事象が生じる位相角４０４（図示されている例では約３４０°）までは開いている。これは、ＥＶＣの直後に生じる流体取込弁の開事象（ＩＶＯ）の直前である。図４において、この事象の線は、この事象と、排気弁閉（ＥＶＣ）事象と、の間の時間が短すぎて明確に示すことができないため、別個には示されていない。次いで、入口弁はサイクル全体が３６０°で終了するまでは開いており、この時点で、入口弁は閉じ（ＩＶＣ）、燃焼ピストンはＴＤＣにあり、燃焼性混合物は０°／３６０°で点火され、その後、サイクルが繰り返される。
【００４８】
コールドスタートモードにおいて、ＥＶＣ／ＩＶＯの位相角度は、排気弁１３４が開いている時間が短くなるに連れて、変化する。これは、ＥＶＣ／ＩＶＯが、より小さな位相角オフセットで生じることを意味する。この位相角オフセットは、ＴＤＣ（０°）前の複数の角度として記載され得る。一例が図４に点線４０３として示され、ＥＶＯ／ＩＶＯは、ＴＤＣ前の約６０°で生じる。
【００４９】
図５ａは、燃焼シリンダ１２６内の燃焼ピストン１２８を示す。排気弁１３４の初期閉位置に対応する、点線で示される種々の可能な燃焼ピストン１２８の位置が示される。
【００５０】
ＴＤＣは、最上部点線５００により示される。これは、排気弁の「通常の閉」位置に対応するピストン位置である。指示温度は十分に高いことが分かっており、排気ガスの全ては燃焼ピストン（１２８）の一連の全リターンストローク中に燃焼シリンダから排出される。種々のコールドスタートモードの操作に対応する種々の初期排気弁閉位置のピストン位置は、さらなる点線（５０１，５０２および５０３）により示される。
【００５１】
第１初期排気弁閉位置は、線５０１により表され、ＴＤＣ前の位相角ｘ°である燃焼ピストンに対応する（この例では、ｘ°と示される位置は、図４を参照して記載すると、円の周りを時計回りに（３６０−ｘ）°の位置を表す。）。
【００５２】
第２初期排気弁閉位置は、線５０２により表され、ＴＤＣ前の位相角ｙ°である燃焼ピストンに対応する。ｙ°は、ＴＤＣオフセットからの角度がｘ°よりも大きい。この位置は、第１閉位置よりも初期弁閉位置に対応する。
【００５３】
第３初期排気弁閉位置は、線５０３により表され、ＴＤＣ前の位相角ｚ°である燃焼ピストンに対応する。ＴＤＣで、ｚ°は、ＴＤＣオフセットからの角度がｙ°よりも大きい。この位置は、第１排気弁閉位置と第２排気弁閉位置とよりも初期排気弁閉位置に対応している。この例では、第３初期排気弁閉位置は、最大初期排気弁閉位置を表す。これは、排気弁１３４が閉じることができる最も初期であり、燃焼シリンダ１２６内に大部分の排気ガスを残し、入口弁が開いているときに燃焼シリンダに取り込まれる圧縮流体が、可能な限り多く加熱される。しかしながら、より多量の排気ガスの保持は、有害な影響を有し得る。
【００５４】
排気弁１３４が閉じる位置の選択は、制御部１００が任意の付属のセンサから受信するデータに基づいて変化する。前述のとおり、排気弁１３４が閉じる点は、温度センサからの温度データに応じて変化してもよい。温度センサが目標温度より高い温度、または目標温度と等しい温度を示すとき、通常駆動モードが使用され、排気弁１３４はＴＤＣで閉じる。この目標温度は、液体燃料混合物が発火前にこの温度になるような、燃焼のための目標温度でもよい。
【００５５】
この温度がＴｔａｒｇｅｔより低い場合、排気弁１３４は、例えば、ＴＤＣ前のｚ°、ｙ°またはｘ°位置（位相角）で閉じられてもよい。適切な初期排気弁閉点（コールドスタートモード）の選択は、異なる初期閉位置が、異なる指示温度範囲でマッピングされたルックアップテーブル（例えば、図５ｃに示されるもの）を参照することにより決定されてもよい。一般的に、Ｔｉが通常その最低温度であるスタートアップ時に、制御部１００は、最大の加熱効果のために燃焼シリンダ内に最大の許容可能な量の排気ガスを保持するため、最大初期排気弁閉位置ｚ°５０３を選択してもよい。その後のエンジンサイクルで、Ｔｉが上昇したものの、まだＴｔａｒｇｅｔより低い場合、制御部は、ｙ°５０２などの中間の初期排気弁閉位置を選択してもよい。再び、その後のサイクルで、Ｔｉがさらに上昇したものの、まだＴｔａｒｇｅｔより低い場合、制御部１００は、ＴＤＣにより近い、別の初期排気弁閉位置ｘ°５０１を選択してもよい。その後のエンジンサイクルで、ＴｉがＴｔａｒｇｅｔと一致するか、またはＴｔａｒｇｅｔを超えた場合、制御部は、さらなる加熱を必要としないため、ピストンがＴＤＣにあり、排気ガスの全てがリターンストローク終了時に排出される、通常の閉位置を選択してもよい。
【００５６】
制御部の判定プロセスは、図５ｂのフローチャートにより示される。制御部１００は、温度センサから温度データを受信する。指示温度Ｔｉは、目標温度Ｔｔａｒｇｅｔと比較される。指示温度ＴｉがＴｔａｒｇｅｔより高いか、またはＴｔａｒｇｅｔと等しい場合、制御部１００は、燃焼ピストンがＴＤＣに達したときに、排気弁１３４を閉じるように制御する。ＴｉがＴｔａｒｇｅｔより低い場合、制御部１００は、Ｔｉを目標温度より低い第２温度Ｔｘと比較する。ＴｉがＴｘより高い場合、制御部１００は、図５ａから分かるように、燃焼ピストンがＴＤＣに達する前に、位相角ｘ°で排気弁１３４を閉じるように制御する。制御部１００は、この比較の後、Ｔｘがカットオフ温度Ｔｃｕｔ  ｏｆｆであるか否かが分かるように調べる。これらの温度が同じである場合、これがそのエンジンのカットオフ位置、すなわち、「最大初期排気弁閉位置」であるため、制御部１００は、対応する位置で排気弁を閉じるように制御する。この判定ツリーは図５ｂに続き、Ｔｉは、連続してＴｙおよびＴｚと比較される。これらはそれぞれ、ＴＤＣ前の位相角ｙ°およびｚ°である燃焼ピストンにそれぞれ対応して関連づけられた位置を有する。いくつかの例では、ＴｔａｒｇｅｔからＴｃｕｔ  ｏｆｆまでの範囲のさらなる温度閾値が存在し得る。最後に、Ｔｚは、最大初期閉位置に対応するカットオフ温度と等しくなり、そのため、制御部１００は、燃焼シリンダがＴＤＣ前の位相角ｚ°にある最大初期排気弁閉位置で、排気弁１３４を閉じるように制御する。
【００５７】
最大初期排気弁閉位置は、燃焼シリンダ内により多くの排気ガスを保持してもそれより多くの値が誘導され得ない点、または排気ガスを保持する負の影響が温度の利益を上回る点、であると定義されてもよい。この判定プロセスは、制御部１００が、それぞれのピストンサイクルについて更新初期閉位置を与えることができるように、燃焼ピストンのそれぞれのサイクルの後に行われてもよい。
【００５８】
図５ｃは、設定温度点およびその対応する排気弁１３４の閉位置と共に、これらの値のルックアップテーブルを示す。このルックアップテーブルは、制御部１００によりメモリに格納され、目標温度と他の閾値温度とがルックアップテーブルから呼び戻され、指示温度と比較されることを可能にする。例えば、ｚ°＝１２０°、ｙ°＝８０°、ｘ°＝４０°の状況が存在し得る。他の例では、最大初期閉位置とＴＤＣとの間に、これより多く、またはこれより少ない中間位置が存在し得る。
【００５９】
他の実施形態では、初期閉位置は、指示温度および／または目標温度を考慮したアルゴリズムに基づいて、計算される。この初期閉位置は、単純な比例依存関係でもよく、またはさらに複雑な形態でもよい。
【００６０】
図６は、圧縮シリンダに注入される寒剤の量が、温度指示に基づいて制御される実施形態を示す。制御部１００は、温度指示を受信すると、Ｔｉを目標温度Ｔｔａｒｇｅｔと比較する。指示温度の方が高い場合、制御部１００は、圧縮シリンダ１０４への寒剤入口を、「通常操作」の量の寒剤が圧縮シリンダ１０４に入ることを可能にするように制御する。その量は、寒剤の量を決定づける制御部により制御されてもよい。
【００６１】
いくつかの実施形態では、これは、排気弁のタイミングを操作する制御部により使用されるものと同じ温度データを使用してもよく、弁のタイミングとレキュペレータの水注入とに加えて行われてもよい。他の例では、制御部は、異なるセンサにより集められた別個の温度データを使用してもよい。当然のことながら、この内容は、圧力センサデータと酸素濃度センサデータと、これらのデータが集められる実施形態の対応するセンサの両方と、に当てはまる。
【００６２】
指示温度が目標温度より低い場合、制御部１００は、「コールドスタート」の量の寒剤が圧縮シリンダ１０４に入ることを可能にするように寒剤入口を制御してもよい。この量は、さらなる判定を行うことにより、例えば、指示温度と、ある設定温度値の範囲と、を比較するか、または計算により、決定されてもよい。いくつかのある実施形態では、寒剤は、コールドスタートモード中に、圧縮シリンダ１０４に注入されない。
【００６３】
検知されたパラメータが、目標温度と比較される指示温度である前述のプロセスは、検知されたパラメータが圧力または酸素濃度である状況に適用されてもよい。これらの場合に、圧力または酸素濃度のセンサ指示は、当然のことながら、目標圧力または目標酸素濃度と比較されるであろう。場合によっては、制御部１００が、これらのパラメータまたは指示に基づいて、排気弁１３４の初期排出閉位置を判定することを可能にする。
【００６４】
指示温度が「通常モード」の操作の目標温度よりも高い場合、「ホットモード」の操作が利用可能でもよい。このモードでは、加えられる極低温液体の量は入口での温度に基づいて最適化されてもよく、そのため、より多くの熱が利用可能な高負荷条件下では、温度は圧縮作業が行われる前よりも、圧縮終了時の方が低い。「ホットモード」の寒剤の量は「通常モード」の量よりも、圧縮ストロークあたりの寒剤注入の量および／または速度が大きいと理解され、その結果、圧縮シリンダ内の流体の温度は安全限界内に制御可能である。さらなる温度制御とハードウェア保護とのために、高負荷条件下で、水がレキュペレータに加えられてもよい。図７は、スプリットサイクルエンジンに使用され得る燃焼シリンダ１２６のヘッドの一例を示し、入口１２４および出口１３４の弁を含む断面図を示す。この図では、入口弁１２４は、燃焼シリンダ１２６から離れる方向に開放する。入口弁１２４は、第１閉位置７１０と第２開位置７１２との間を移動するように操作可能である。排気弁１３４は、内側に開く弁であり、排気ガスを燃焼シリンダ１２６から外に、レキュペレータ１１８に連結する排気経路１３６へと排出するように操作可能である。これらの弁は、図１で図示される制御部１００に接続される弁制御装置により操作される。
【００６５】
図８は、スプリットサイクル内燃エンジン１０１の模式図を示す。図８は、図１と似ており、同じ要素または類似の要素は、同じ機能または類似の機能を有する。図８は、入口弁１２４に接続される制御部１００を示す。図示される例では、温度センサ１２２は、燃焼シリンダ１２６付近に配置され、レキュペレータ１１８と燃焼シリンダ流体取込弁１２４との間の圧縮流体の経路１２０に沿ったポイントで、流体を取り込む。このセンサ１２２は、圧縮流体の温度を検知し、検知した温度データを制御部１００に戻して報告するように操作可能である。制御部１００は、この温度データを受信し、受信した温度データに少なくとも部分的に基づいて、燃焼シリンダ１２６上の入口弁１２４のタイミングを制御するように構成される。本開示の観点で、センサは、燃焼シリンダおよび／またはこれに付随する流体に関連するパラメータの指示を検知するように、任意の適切な位置に配置されてもよいことが理解されるべきである。例えば、センサは、レキュペレータ内、または燃焼シリンダからの排出口内に配置されてもよい。
【００６６】
入口弁１２４は、燃焼シリンダへの流体の流れを制御するように構成される。制御部は、操作中、燃焼シリンダおよび／またはこれに付随する流体に関連するパラメータの指示を受信するように構成される。制御部は、指示の受信に応じて、指示パラメータが閾値基準を満たすか否か、例えば、指示パラメータの値が目標値と等しいか、または目標値より大きいかを判定するように構成される。制御部１００は、入口弁の開閉を制御するために、入口弁１２４に接続される。
【００６７】
この例では、ピストンのサイクルは、その下死点位置（「ＢＤＣ」）で燃焼ピストン１２８と共に開始すると考えられてもよい。燃焼ピストン１２８は、クランクシャフト１１４の回転に従って、ＢＤＣへと下側に戻る前に、ＢＤＣから上死点位置（「ＴＤＣ」）に向かって上方に移動する。したがって、ピストンのサイクルは、ＢＤＣからＴＤＣを介してＢＤＣへと移動する燃焼ピストン１２８を備えると考えられてもよい。燃焼ピストン１２８は、燃焼シリンダの長手方向軸である１つの軸のみに沿って移動するように拘束される。燃焼ピストン１２８の移動は、円形の様式で回転するクランクシャフト１１４の回転に従う。そのため、ＴＤＣとＢＤＣとの付近での燃焼ピストンの移動は、クランクシャフトの円形運動がその領域でのそれぞれの回転角度について前述の１つの軸の方向にほんの小さな移動しか生じさせないため、遅い。したがって、ＴＤＣとＢＤＣとの付近で、燃焼ピストンにより囲まれるシリンダの体積変化はゆっくりと変化し、クランクシャフト１１４の単位回転（すなわち「位相角」または「クランク角」）あたりの燃焼シリンダ１２６の圧力変化は小さい。燃焼シリンダ１２６内の燃焼ピストン１２８の位置は、クランクシャフトの回転角度という観点で表現されてもよいことが理解されよう。
【００６８】
制御部１００は、燃焼ピストン１２８が燃焼シリンダ１２６内の異なる位置にあるときに、入口弁１２４が開かれ得るように、入口弁１２４の開閉を動的に制御するように構成される。したがって、入口弁１２４は、ピストンのサイクル中の異なる段階で開かれてもよい。スプリットサイクル内燃エンジンの「コールドスタート」中、制御部１００は、例えば、入口弁１２４をピストンサイクル中に初期開位置で開けさせるように、入口弁１２４を制御するように構成される。スプリットサイクル内燃エンジンの「通常」駆動条件中、作動流体が十分な燃焼が生じるほど十分に温かい場合、制御部１００は、後期開位置で入口弁１２４が開くように制御する。制御部１００は、受信した指示パラメータに基づいて、スプリットサイクル内燃エンジンをコールドスタートモードで操作するか、または通常モードで操作するかを判定するように構成される。
【００６９】
制御部１００により受信される指示パラメータは、燃焼シリンダおよび／またはこれに付随する流体の性質の指示である。安定で迅速な燃焼の達成は、スプリットサイクル内燃エンジンでは問題となってきた。特に、スプリットサイクル内燃エンジンのコールドスタート中、作動流体は比較的冷たくてもよいが、多くが燃焼不良を引き起こし、そのため、スプリットサイクル内燃エンジンは適切にスタートアップすることができない場合がある。さらに、多すぎる水の存在、および／または十分な酸素が存在しないことは、適切な燃焼が生じることを妨げ得る。
【００７０】
このことを説明するために、制御部１００により受信される指示パラメータは、燃焼シリンダ１２６内の作動流体に関連する温度、圧力、酸素濃度、または水濃度のうち１つを含んでもよい。パラメータの目標値は、指示パラメータに対応するであろう。目標値を満たしている指示パラメータは、燃焼シリンダ１２６内の条件が燃焼に適していることを示す指示パラメータを表すであろう。したがって、目標値が温度、圧力、または酸素濃度である場合、目標パラメータより大きな値または目標パラメータと等しい値が、適切な燃焼条件を示すであろう。指示パラメータが水濃度である場合、目標パラメータより小さな値が、適切な燃焼条件を示すであろう。
【００７１】
受信された指示パラメータが目標値を満たしておらず、条件が燃焼に適していないことを示す場合、制御部１００は、「コールドスタート」モードの操作に従って入口弁１２４を操作するように制御する。このモードにおいて、制御部１００は、ピストンのサイクル中、入口弁１２４を「初期開位置」で開くように制御する。初期開位置は、ＴＤＣ前であり、燃焼ピストン１２８のリターンストローク中、燃焼ピストン１２８がそのＴＤＣに達する前である。初期開位置の位置は、燃焼ピストン１２８の連続的な移動が作動流体に対してかなりの圧縮効果を与えるような位置である。制御部１００は、燃焼ピストン１２８がＴＤＣ後のクランク角ｘ°にある初期開位置で入口弁１２４を開けるように構成される。初期開位置は、例えば、ＴＤＣ前に５°、ＴＤＣ前に１０°、ＴＤＣ前に２０°、ＴＤＣ前に３０°、でもよい。入口弁１２４をＴＤＣ前に開くことは、燃焼ピストン１２８がまだＴＤＣに向かって移動している間に、作動流体が燃焼シリンダ１２６へと流れることを可能にする。燃焼ピストン１２８の連続的な移動により、作動流体が圧縮され、その温度が上昇するだろう。作動流体の温度上昇は、燃焼シリンダ１２６内の燃焼条件を改善し得る。
【００７２】
図８に示されるスプリットサイクル内燃エンジン１０１について、燃焼シリンダ１２６からの排気は、燃焼シリンダ１２６に吸入される作動流体に熱的に連結されるレキュペレータ１１８を通じて、フィードバックされる。したがって、レキュペレータ１１８は、燃焼シリンダ１２６に流入される流体を十分に温めるため、燃焼シリンダ１２６から十分に熱い排出液体を受け入れることが望ましい。例えば、燃焼シリンダ１２６内の不十分な燃焼に起因して、この熱移動が不十分な場合、スプリットサイクル内燃エンジンの操作を維持することが不可能な場合がある。したがって、作動流体は、適切な燃焼を可能にし、それ故、エンジンの連続的な操作を可能にするほど十分に温かいことが重要である。
【００７３】
燃焼ピストン１２８からの余剰な圧縮が作動流体の必要な加熱を与え得るため、十分に温かい作動流体を供給することは、入口弁１２４の初期開放により達成されてもよい。加圧流体の入口に起因して、あまりに初期に開放し、燃焼ピストン１２８の動きを妨げることと、作動流体の十分な加熱を達成するために十分なほど初期に開放することとの間は、トレードオフの関係になり得ることが理解されるべきである。したがって、制御部１００は、入口弁１２４がＴＤＣよりｚ°後ろで開く、入口弁１２４の最大初期開位置が存在するように構成されてもよい。
【００７４】
したがって、制御部は、指示パラメータを連続的に監視し、指示パラメータに基づいて、入口弁１２４の開位置を変更することにより、動的な監視と、入口弁１２４の制御と、を行うように構成されてもよい。例えば、燃焼ピストン１２８がＴＤＣ前のｘ°にある、初期開位置についての値ｘは、指示パラメータと、そのパラメータの目標値と、の間の差に基づいて、継続的に変化されてもよい。したがって、制御部１００は、ピストンのサイクルにおいて、燃焼シリンダおよび／または作動流体の指示パラメータが目標値からさらに離れるとき、入口弁１２４をより初期に開くように制御してもよい。したがって、流体が非常に冷たい場合、制御部１００は、作動流体により多量の圧縮を加え、それにより加熱するように、入口弁１２４を非常に初期に（例えば、ｚ°で）開けるように制御する。
【００７５】
ある実施形態では、制御部１００は、ピストンのサイクルの連続した位置で、入口弁１２４を開けるように構成されてもよい。他の実施形態では、制御部１００は、指示温度と目標温度との間の差に従って、ＴＤＣ前の位相角ｚ°とＴＤＣとの間の燃焼ピストン１２８の位置について、入口弁１２４の複数の別個の初期開位置のうち１つを選択するように構成されてもよい。制御部１００は、排気弁について前述したものと同様の様式で、この操作を行ってもよい。
【００７６】
受信した指示パラメータが、目標値を満たしており、燃焼に適した条件が存在することを示す場合、制御部１００は、「通常操作モードの操作」に従って、入口弁１２４を操作するように制御する。この態様では、入口弁１２４は、ピストンのサイクル中、「後期開位置」の位置で、燃焼シリンダ１２６への流体の流れを可能にするように開く。後期開位置は、ピストンのサイクルにおいて、初期開位置よりも後ろである。典型的には、この位置は、初期開位置よりもＴＤＣに近く、ＴＤＣでもよく、またはＴＤＣ直前でもよい。
【００７７】
点火が起こる前にクランク角が大き過ぎないように、燃焼ピストン１２８がそのＴＤＣに達した後可能な限り迅速に、レキュペレータ１１８内の全ての作動流体が、燃焼シリンダ１２６へと移されていることが望ましい。制御部１００は、入口弁１２４をＴＤＣで、またはＴＤＣより非常にわずかに後ろで開くように制御してもよい。あるいは、制御部１００は、燃焼ピストンがそのＴＤＣに達するわずかに前に入口弁１２４を開くように制御してもよい。例えば、入口弁１２４は、燃焼ピストンのリターンストローク中、燃焼ピストンがそのＴＤＣに達するよりも前に開くように制御されてもよい。例えば、入口弁１２４は、ＴＤＣより１°前、ＴＤＣより３°前、ＴＤＣより５°前に開くように制御される。燃焼シリンダ１２６において、ＴＤＣ前のこれらの位置での燃焼ピストン１２８の移動がクランクシャフト１１４の角回転に関連して非常に小さいため、燃焼シリンダ１２６内の作動流体に対して行われる圧縮は、微々たる量しか存在しない。したがって、作動流体の温度上昇または燃焼ピストン１２８の移動に対する流体抵抗の上昇は、顕著な問題ではない。一旦流体の全てが燃焼シリンダ１２６に入ると、制御部１００は、入口弁１２４を閉じるように制御する。
【００７８】
ここで、スプリットサイクル内燃エンジンの操作方法を、図９ａ，９ｂを参照しながら説明する。図９ａは、段階９００ａ，９０２ａ，９０４ａ，９０６ａおよび９０８ａを含む、コールドスタートモードの操作中に燃焼シリンダを制御するプロセスを、通常駆動モードの段階９００ｂ，９０２ｂ，９０４ｂ，９０６ｂおよび９０８ｂを示す図９ｂと比較することにより、模式的に示す。図９ａ，９ｂにおいて、燃焼シリンダおよび／またはこれに付随する流体に関連するパラメータの指示が受信され、燃焼シリンダ１２６の入口弁１２４は、指示パラメータに基づいて制御される。図９ａでは、指示パラメータは目標値より小さく、入口弁１２４は初期開位置で開くように制御される。図９ｂでは、指示パラメータは目標値と等しいか、または目標値より大きく、入口弁１２４は後期開位置で開くように制御される。
【００７９】
図９ａでは、段階９００ａで、圧縮流体と燃料との混合物（「作動流体」）は、燃焼ピストン１２８がＴＤＣにあるか、またはＴＤＣのわずかに後ろにあるときに発火する。スプリットサイクル内燃エンジンの燃料の種類に応じて、この発火は、スパークプラグまたは自動発火により開始されてもよい。燃料の燃焼から放出されるエネルギーに起因する圧力上昇は、燃焼ピストンを下死点（ＢＤＣ）に向かって駆動させ、さらにクランクシャフト１１４を駆動させる。一旦燃焼ピストンがＢＤＣに達すると、燃焼混合物が膨張し、燃焼シリンダ１２６を満たし、排気弁１３４が開く（段階９０２ａ）。次いで、燃焼ピストンがＴＤＣに向かって進み、排気ガスを排気弁３４から排出する。
【００８０】
コールドスタートモードにおいて、入口弁１２４は、燃焼ピストン１２８がＴＤＣに達する前に開く。入口弁１２４は、排気弁１３４が閉じられたわずかに後に開けられる。このことは、段階９０４ａで示され、入口弁１２４は、燃焼ピストンがＢＤＣからＴＤＣまでの道のりの約６５％に達するときに開く。これは、圧縮シリンダ／レキュペレータからの圧縮流体が燃焼シリンダ１２６に流れることを可能にする。次いで、段階９０６ａに示されるとおり、燃焼ピストンがＴＤＣに達するまで、この注入流体は、さらに圧縮される。入口弁１２４が閉じられ、注入された燃料が点火され（段階９０８ａ）、サイクルが再び開始する。作動流体の余剰な加熱／圧縮を行うことは、スプリットサイクル内燃エンジン内（特にレキュペレータ１８８内）の熱の不足を補うことにより、スプリットサイクル内燃エンジンの効率を上げ得る。
【００８１】
これは、図９ｂにおける通常駆動モードとは対照的である。このサイクルでは、段階９００ｂ，９０２ｂ，９０６ｂおよび９０８ｂは、それぞれ９００ａ，９０２ａ，９０６ａおよび９０８ａに対応する。コールドスタートモードと通常駆動モードとの間の差は、段階９０４ｂで強調される。ここで、注入流体のさらなる圧縮が燃焼ピストン１２８を用いて達成され得ないように、入口弁１２４は、燃焼ピストンがＴＤＣに達するまでは閉じられる。このモードにおいて、エンジンは、「通常」駆動し、これにより、ＴＤＣよりかなり前に圧縮シリンダに注入される流体はほとんどないか、または全くない。ここで、前述のとおり、ＴＤＣよりかなり前とは、流体が燃焼ピストン１２８からかなりの量の圧縮を受け得るような流体の注入のタイミングを指す。
【００８２】
ここで再び図８を参照しながら、本開示の別の態様について説明する。この態様において、制御部１００は、燃焼シリンダ１２８および／またはこれに付随する流体のパラメータの受信した指示に基づいて、入口弁１２４と排気弁１３４との両方を制御するように構成される。入口弁１２４の初期開放について前述したとおり、制御部１００は、ピストンのサイクル中、受信した指示パラメータの値がそのパラメータの目標値より小さいとき、燃焼シリンダ１２６の入口弁１２４を初期開位置で開けるように制御するように構成される。さらに、排気弁１３４の初期閉操作について前述したとおり、制御部１００は、ピストンのサイクル中、受信した指示パラメータの値がそのパラメータの目標値より小さい場合に、燃焼シリンダ１２６の排気弁１３４を、初期閉位置で閉じるように制御するように構成される。これに対応して、制御部は、目標値と等しいか、または目標値より大きい受信した指示パラメータに応答して、入口弁１２４を後期開位置で開けるように制御してもよい。同様に、制御部は、目標値と等しいか、または目標値より大きい受信した指示パラメータに応答して、排気弁１３４を後期閉位置で閉じるように制御してもよい。
【００８３】
制御部１００は、他の弁の決定された開位置および／または閉位置に少なくとも部分的に基づいて、それぞれの弁の開閉について、ピストンのサイクル中の位置を決定するように構成されてもよい。制御部１００は、入口弁１２４が開かれる前に、排気弁１３４が確実に閉じるように構成される。そうでない場合、圧縮空気の流入は、入口弁１２４内を通って流れてもよく、燃焼ピストン１２８でかなりの作業を実行するために使用されることなく、排気弁１３４から直接的に出てもよい。同様に、燃焼中および／または燃焼後、燃焼ピストン１２８がＢＤＣに移動するに連れて、制御部１００は、可能な最大量の作業が燃焼ピストン１２８で確実に行われるために、両方の弁が確実に閉じたままになるように構成される。他の位置では、ピストンのサイクル中、２つの弁のうち１つの弁だけが開いている。制御部１００は、受信した指示パラメータに基づいて、どの位置で、どれくらい長く、どの弁を開けるべきかを判定してもよい。
【００８４】
したがって、制御部１００は、ピストンのサイクル中、入口弁１２４の開操作よりも初期に排気弁１３４を閉じるように制御するように構成される。排気弁１３４が閉じられることを示す信号の受信に応答して、制御部１００は、入口弁１２４を開くように制御するように構成されてもよい。排気弁１３４を閉じるように制御する制御部１００と、入口弁１２４を開くように制御する制御部１００と、の間の差は、２つの事象が起こる間のタイムラグとして、または２つの異なる事象が起こるピストンのサイクル内の位置の差として表現されてもよい。例えば、排気弁１３４はＴＤＣ前のａ°で閉じられてもよく、入口弁１２４はＴＤＣ前の（ａ−ｂ）°で開けられてもよく、ここで、ｂは108
であるか、または可変である。ｂの値は、受信した指示パラメータに応じて変わってもよい。例えば、ｂは、スプリットサイクル内燃エンジンのセットアップと制御システムとにより許容可能な最短時間でこの２つの状態の間を遷移することを表し、一定であってもよい。例えば、ｂは、指示パラメータの値と目標値との間の値の差に比例して可変でもよい。この２つの状態の間の遷移が可能な限り短時間で行われることが、望ましい場合がある。
【００８５】
この弁設定を用いたランニングテストから得られる科学データは、エンジンが冷たいときに燃焼条件を向上させるためのより効果的な様式が、入口弁１２４を初期に開けることであることを示唆する。制御部１００は、例えば、ルックアップテーブルの形態のデータを含むメモリを備えてもよい。制御部１００は、指示パラメータに基づいて、選択した燃焼条件を達成するために、燃焼シリンダおよび／またはこれに付随する流体をどの程度加熱することが必要かを判定してもよい。制御部１００は、この判定に基づいて、ルックアップテーブルを使用し、発熱に対するそれぞれのアプローチ（流入／排出）の相対的な寄与を決定してもよい。例えば、排出流体を圧縮する（例えば、排気弁１３４の初期閉操作から）ことによりどれほど多くの熱が発生するか、作動流体のさらなる圧縮により（例えば、入口弁１２４の初期開操作から）どれほど多くの熱が発生するか。制御部は、この決定に従って、この２種類のアプローチからの発熱の所望の比率を達成するように、両方の弁を制御してもよい。あるいは、制御部は、一方のアプローチを他方のアプローチよりも好み、その手段による発熱が最大になるように弁を制御してもよい。したがって、制御部１００は、所望の加熱レベルを達成するために、排出と流入とからの発熱を選択した比率で達成するために、判定し、弁を制御してもよい。
【００８６】
例えば、燃焼シリンダ１２６内の熱の所望の増加の大部分が、排気弁１３４を初期に閉じることのみにより達成可能である場合には、制御部１００は、余剰な発熱のわずかな部分のみが吸入流体の圧縮からくるように、排気弁１３４の閉操作と入口弁１２４の開操作との間の時間差を遅くするように構成されてもよい。したがって、制御部１００は、受信した指示パラメータに基づいて、排気弁１３４の閉操作に対する入口弁１２４の開操作を動的に制御してもよい。
【００８７】
制御部１００は、スプリットサイクル内燃エンジンの操作の通常の駆動段階中、排気弁がＴＤＣ前に、できるだけ遅く閉じるように、弁の開／閉を制御するように構成されてもよい。前述のとおり、入口弁１２４は、所望の燃焼効果を達成するために、全ての作動流体が燃焼シリンダ１２６に注入されることを可能にするために、ＴＤＣのわずかに前に開かれてもよい。したがって、制御部１００は、入口弁１２４を開けるように制御してから可能な限り直後に、排気弁１３４を閉じるように制御してもよい。
【００８８】
ここで、図１０ａ，１０ｂを参照しながら、本開示の前述の態様の操作方法を説明する。図１０ａ，１０ｂは図９ａ，９ｂの方法と非常に密接に対応しており、そのため、同様の工程は再び記載されない。同様に、図１０ａは「コールドスタート」中のスプリットサイクル内燃エンジンの操作方法を示し、図１０ｂは「通常の駆動条件」中の方法を示す。図１０ａにおいて、この方法は、燃焼シリンダおよび／またはこれに付随する流体に関連するパラメータの指示を受信する工程と、指示パラメータがそのパラメータの目標値よりも小さいと判定する工程と、を含む。図１０ｂは、指示パラメータが目標値と等しいか、または目標値よりも大きいと判定する工程を含む方法の例示として含まれている。
【００８９】
この２図の主な違いは、工程１００４，１００６で生じる。工程１００４ａでは、排気弁１３４は、燃焼ピストン１２８がＴＤＣに達する前に閉じるように制御される。工程１００６ａでは、入口弁１２４は、燃焼ピストン１２８がＴＤＣに達する前であるが、排気弁１３４が閉じた後に開くように制御される。対照的に、燃焼ピストン１２８ｂがＴＤＣにあるか、またはＴＤＣ付近にある工程１００４ｂでは、排気弁１３４は開状態のままであり、工程１００６ｂにおいてのみ閉められる。次いで、入口弁１２４は、燃焼ピストン１２８がＴＤＣにある工程１００８ｂで開く。
【００９０】
図１１は、通常駆動モード中のスプリットサイクル内燃エンジンの最適操作のための圧力トレースの一例を示す。左から右に移動すると、燃焼ピストン１２８の戻り区間中、排気弁１３４が開き、入口弁１２４が閉じた状態で燃焼ピストン１２８がＢＤＣからＴＤＣに向かって移動するため、シリンダ圧力は、かなり一定のままである。点Ａでは、排気弁１３４は閉じ始め、点Ｂでは、排気弁１３４は完全に閉じている。排気弁１３４の閉操作に応答して、シリンダ圧力が上昇し始める。ＴＤＣよりわずかに前の点Ｃでは、入口弁１２４は、ＴＤＣで完全に開状態になるように、開き始める。入口弁１２４は、ＴＤＣより少し後の点Ｄまでは完全に開いたままであり、ここで閉じ始める。点Ｅでは、入口弁１２４は、完全に閉じる。シリンダ圧力は、入口弁の開閉中、燃焼が始まるまで徐々に増加し、この点で、Ｆ点での最大まで迅速に上昇する。点Ｆの後、シリンダ圧力は、燃焼ピストン１２８がＴＤＣからＢＤＣに向かって移動するに連れて、徐々に減少する。
【００９１】
図１２は、入口弁の開操作と排気弁の閉操作とのタイミングを変更したときの結果を示すグラフを示す。図１２に示される結果は、８００ｒｐｍで駆動するスプリットサイクル内燃エンジンに基づいて得られた。実線は入口弁の初期開状態と排気弁の初期閉状態とを表し、点線は後期開状態と後期閉状態とを表す。
【００９２】
線Ａ，Ｂは、排気弁の開／閉を表す。線ＡはＴＤＣより約６５°前に初期開状態にある排気弁を示し、一方、線ＢはＴＤＣより約３５°前に開状態にある排気弁を示す。両方の場合において、グラフは、排気弁が完全に開いた状態から完全に閉じた状態へと移動するために、約５°−１０°の回転が必要であることを示す。両方の場合において、排気弁の初期での閉操作の効果は、それぞれ線Ｇ，Ｈにより図示されるシリンダ圧力の対応する増加をもたらす。線Ｃ，Ｄは、入口弁の開／閉を表す。線Ｃでは、入口弁はＴＤＣより約２３°前に開き始め、一方、線Ｄでは、入口弁はＴＤＣより約１３°前に開き始める。両方の場合において、完全に開いた状態に達するために約１３°かかり、この時点で、弁が再び閉じ始め、完全に閉じるために約１３°かかる。線Ｅ，Ｆは、シリンダへの燃料の注入を表す。両方の場合において、この注入は短時間で、一瞬であり、ゼロからそのピークレベルまでに約２°以内で進み、その後、再び約２°以内でゼロまで戻る。線ＥはＴＤＣより約１０°前に開始する注入を表し、一方、線ＦはＴＤＣから３°後ろに開始する注入を表す。
【００９３】
この２つのタイミングの効果はそれぞれ線Ｇ，Ｈにより示され、これらはシリンダ圧力を表す。図から分かるように、線Ｇは、排気弁の初期閉操作と入口弁の初期開操作とに対応し、線Ｈの遅れた小さなピーク（４１ｂａｒ）と比較すると、約５１ｂａｒのかなり大きなピーク（したがって、より高い温度）に達する。したがって、このグラフは、入口弁の初期開操作と排気弁の初期閉操作とに関連する利益を示す。
【００９４】
図１３は、入口弁の開操作と排気弁の閉操作とのタイミングを変更したことにより生じる結果を示すグラフを示す。図１３に示される結果は、１２００ｒｐｍで駆動するエンジンに基づいて得られた。ここでも、実線は入口弁の初期開状態と排気弁の初期閉状態とを表し、点線は後期開状態と後期閉状態とを表す。
【００９５】
図１３の線とその参照文字とは、図１２に関連して前述された線とその参照文字とに対応するため、説明は繰り返さない。図１３の線ＡはＴＤＣの約７５°前に初期の閉状態にある排気弁を示し、一方、線ＢはＴＤＣより約６０°前に閉状態にある排気弁を示す。両方の弁の閉状態は、シリンダ圧力のわずかな増加（それぞれ線Ｇ，Ｈ）をもたらす。線Ｃ，Ｄの両方は、ＴＤＣより約３０°前で、入口弁が開いていることを示し、線Ｄにおける開操作がわずかに先である。ＴＤＣより約３°前に入口弁が完全に閉じている状態の線Ｃと比較して、線Ｄにおいても、入口弁は、さらに長く開いたままであり、ＴＤＣより約３°後ろに完全に閉じている。線ＥはＴＤＣより約１４°前に開始している注入を示し、一方、線ＦはＴＤＣより約８°前に開始している注入を示す。
【００９６】
図１２と同様に、線Ｇ，Ｈは、シリンダ圧力を表し、線Ｇが線Ｈ（約５０ｂａｒ）よりも高い圧力（約５３ｂａｒ、よってより高い温度）に達していることが明らかである。さらに、線Ｇのピークは線Ｈのピークより約５°前で達し、線ＧはＴＤＣ直後にピークに達する。したがって、このグラフは、スプリットサイクル内燃エンジンのより初期のタイミングシステムがもたらす利益を示す。
【００９７】
スプリットサイクルエンジンの効率を高めるために、寒剤注入と、排気弁のタイミングと、レキュペレータの水注入と、のいずれかの制御が、個々に、または組み合わせて実行されてもよい。
【００９８】
いくつかの例では、スプリットサイクルエンジンは、圧縮シリンダへの寒剤注入を使用する必要がない。
【００９９】
いくつかの例では、スプリットサイクルエンジンは、ガソリン、ディーゼル、または別の燃料を使用可能である。
【０１００】
いくつかのある例では、１つ以上のメモリ要素は、本明細書に記載される操作を実行するために使用されるデータおよび／またはプログラム命令を格納することができる。本開示の実施形態は、プロセッサをプログラミングし、本明細書に記載および／または請求される方法の任意の１つ以上を実施し、および／または本明細書に記載および／または請求されるデータ処理装置を提供するように操作可能なプログラム命令を含む、有形の非一時的記憶媒体を提供する。
【０１０１】
本明細書で概説される活性および装置は、論理ゲートのアセンブリなどの固定論理、またはプロセッサにより実行されるソフトウェアおよび／またはコンピュータプログラム命令などのプログラマブルロジックを用いて実行されてもよい。他の種類のプログラマブルロジックは、プログラマブルプロセッサ、プログラマブルデジタル論理（例えば、フィールドプログラマブルゲートアレイ（ＦＰＧＡ）、消去可能プログラマブル読み出し専用メモリ（ＥＰＲＯＭ）、電気的消去可能プログラマブル読み出し専用メモリ（ＥＥＰＲＯＭ））、特定用途向け集積回路ＡＳＩＣ、または任意の他の種類のデジタルロジック、ソフトウェア、コード、電子的命令、フラッシュメモリ、光ディスク、ＣＤ−ＲＯＭ、ＤＶＤ  ＲＯＭ、磁気カードまたは光学カード、電子的命令を格納することに適した他の種類の機械可読媒体、またはこれらの任意の適切な組み合わせを含む。
【０１０２】
図面に示される実施形態は、単なる例示であり、本明細書に記載され、特許請求の範囲に示されたとおり、一般化されてもよく、除去されてもよく、または交換されてもよい特徴を含むことが、前述の説明から理解されよう。本開示の観点で、本明細書に記載される装置と方法との他の例と変形例とは、当業者には明らかであろう。
【図１】
2020514614.tif 000003
【図２ａ】
2020514614.tif 000004
【図２ｂ】
2020514614.tif 000005
【図３】
2020514614.tif 000006
【図４】
2020514614.tif 000007
【図５ａ】
2020514614.tif 000008
【図５ｂ】
2020514614.tif 000009
【図５ｃ】
2020514614.tif 000010
【図６】
2020514614.tif 000011
【図７】
2020514614.tif 000012
【図８】
2020514614.tif 000013
【図９ａ】
2020514614.tif 000014
【図９ｂ】
2020514614.tif 000015
【図１０ａ】
2020514614.tif 000016
【図１０ｂ】
2020514614.tif 000017
【図１１】
2020514614.tif 000018
【図１２】
2020514614.tif 000019
【図１３】
2020514614.tif 000020
【国際調査報告】
2020514614.tif 000021
2020514614.tif 000022
2020514614.tif 000023
2020514614.tif 000024
2020514614.tif 000025